(57)【要約】 【課題】   布帛の染色工程において、同一染色機内で発生する色差、又は異なる染色機において発生する色差をなくし、かつ好ましい染色堅牢度と染色再現性の得られるベルト駆動方式で紐状の布帛を染色する染色機における染色加工工程の制御方法を提供する。  【解決手段】  ベルト駆動方式で紐状の布帛を染色する染色機における染色加工工程において、染料の投入、加熱、保温、冷却、水洗い等の時間の長さ、又は速度について、被染色物である布帛の染色機内の循環回数を制御単位として被染色物である布帛に対して染色加工を行う。【選択図】 図４
2017043858.tif 000002
【特許請求の範囲】
【請求項１】
布帛の染色工程において、染料の投入、加熱、保温、冷却、水洗い等の時間の長さ、又は速度について、被染色物である布帛の染色機内の循環回数を制御単位として被染色物である布帛に対して染色加工を行うことを特徴とするベルト駆動方式で紐状の布帛を染色する染色機における染色加工工程の制御方法。
【発明の詳細な説明】
【技術分野】
【０００１】
この発明は染色方法に関し、特にベルト駆動方式で紐状の布帛を染色する染色機における染色加工工程の制御方法に関する。
【背景技術】
【０００２】
図１は、従来の紐状布帛の染色機における布帛と染料液の循環を示した説明図である。図面に開示するように、染色液ＦはポンプＤ１を通過して加圧され、熱交換機Ｃ（温度を上げるか、又は下げる）を経てノズルＡ４に進入して噴射されるか、またはオーバーフローによる水流の力を発生させ、染色機Ａの被染色物滞留部Ａ１に戻る。
【０００３】
また、布帛ＢはガイドローラＡ３によって（又は、ガイドローラを設けない）ノズルＡ４に送られ、ノズルＡ４の噴射、もしくはオーバーフローによる力によって布帛Ｂを駆動して循環させる。
【０００４】
染料と助剤とは、タンクＥからポンプＤ１に送られて加圧され、染色機Ａの循環経路に注入され、染料液Ｆと布帛Ｂとが循環する際に熱交換機Ｃによって加熱、保温される過程において染料が布帛に吸収され、精錬、フィックス処理、水洗い処理などを経て染色の効果が得られる。
【０００５】
染色の均一性は、染色過程における布帛の循環回数の多寡に関連する。即ち、布帛ＢがノズルＡと染色管Ａ２との間において染料液と交互に作用する回数の多寡である。循環する回数が多くなれば、交互に作用する回数も多くなる。よって、染色が均一になるほど水洗いの程度と色止めの堅牢度も同じになる。
【０００６】
図２に、周知の紐状布帛を染色する染色機による典型的な加工工程を開示する。従来の染色機は学理的にも、又は実務的にも、時間を制御単位（分母）とし、布帛に対して染料投入→加熱→保温→加熱→保温→冷却→水洗い→染料投入→加熱→保温→冷却→熱水による水洗いとなる一連の染色加工処理の工程を行う。その制御方法は電算機、又はプログラマブルロジックコントローラなどの制御機器を用いて実施する。
【０００７】
上述するように、従来の紐状布帛を染色する染色機による染色加工は、時間を制御の単位とする。よって、実際の布帛の量、長さに関わらず、染色過程における時間は同一である。但し、実際に染色を行う場合、染色加工を行う量は、布帛の重量、又は厚さによって異なる。即ち、染色機毎の、又は同一染色機内における布帛の長さはいずれも異なる。よって、布帛の種類が異なっても、いずれも同様の染色時間を採用する。このため、時間の浪費になるのみならず、布帛の全体的な染色工程における染色機毎の、又は同一染色機内における布帛の量（長さ）が異なることから布帛の循環する実際の回数が異なり、染色時間が同じでも染色の程度が異なることになり、異なる染色機における色差、同一染色機における色差、又は染色堅牢度が一致しなくなり、色彩の再現性が好ましくなくなるなども問題が発生する。このため染色し直すことになり、生産の品質と効率に影響を与えるのみならず、大量のエネルギーと人的コストを浪費し、環境汚染の要因となる。この再現性の問題は、斯業において長く面してきた問題であり、克服が難しい問題であった。
【発明の概要】
【発明が解決しようとする課題】
【０００８】
この発明は、布帛の染色工程において、同一染色機内で発生する色差、又は異なる染色機において発生する色差をなくし、かつ好ましい染色堅牢度と染色再現性の得られるベルト駆動方式で紐状の布帛を染色する染色機における染色加工工程の制御方法を提供することを課題とする。
【課題を解決するための手段】
【０００９】
そこで、本発明者は上述する従来の染色工程における制御方法の欠点に鑑み鋭意研究を重ねた結果、布帛の染色工程において、染料の投入、加熱、保温、冷却、水洗い等の時間の長さ、又は速度について、被染色物である布帛の染色機内の循環回数を制御単位として被染色物である布帛に対して染色加工を行う制御方法によって課題を解決でできる点に着眼し、係る知見に基づいて本発明を完成させた。即ち、請求項１に記載するように、ベルト駆動方式で紐状の布帛を染色する染色機における染色加工工程布帛の染色工程において、染料の投入、加熱、保温、冷却、水洗い等の時間の長さ、又は速度について、被染色物である布帛の染色機内の循環回数を制御単位として被染色物である布帛に対して染色加工を行う。
【発明の効果】
【００１０】
この発明の方法によれば、染色工程全体の時間が布帛量の長さの減少によって短縮し、実際に染色する布帛量の長さの多寡に関わらず布帛の循環する回数がいずれも同様になり、染色の程度も同様になることから、好ましい染色再現性が得られ、異なる染色機、又は同一染色機内において発生する色差の問題を解消し、染色堅牢度が不十分という問題を改善することができる。即ち、実際の布帛量の長さに関わらず循環回数が同一になり布面と染色機との接触（摩擦と引張り）の回数も同一となり、均一な布面の品質が得られる。よって、製品の品質と生産効率とを高めるとともに、生産コストを低減させることができ、さらにはエネルギーを節約し、二酸化炭素の放出を抑制し、環境保全を促進するという利点が得られる。
【図面の簡単な説明】
【００１１】
【図１】従来の染色機における布帛と染色液の動作を示した説明図である。
【図２】従来の紐状の布帛の染色機における染色工程を示した曲線グラフである。
【図３】この発明による紐状の布帛の染色機における染色工程を示した曲線グラフである。
【図４】この発明における紐状の布帛の染色機布帛と染色液の動作を示した説明図である。
【発明を実施するための形態】
【００１２】
この発明は、同一染色機内で発生する色差、又は異なる染色機において発生する色差をなくし、かつ好ましい染色堅牢度と染色再現性の得られるベルト駆動方式で紐状の布帛を染色する染色機における染色加工工程の制御方法を提供するものであって、ベルト駆動方式で紐状の布帛を染色する染色機における染色加工工程布帛の染色工程において、布帛の染色工程において、染料の投入、加熱、保温、冷却。水洗い等の時間の長さ、又は速度について、被染色物である布帛の染色機内の循環回数を制御単位として被染色物である布帛に対して染色加工を行う。係る制御方法の特徴を説明するために、具体的な実施例を挙げ、図面を参照にして以下に詳述する。
【実施例】
【００１３】
図４に開示するように、この発明においては、ベルト駆動方式の紐状布帛染色機の本体の適宜な位置に布帛の頭部端と、循環時間と、循環回数を検知する検知手段１を設ける。布帛の後方から前端への移動はベルトによって駆動されるため、布帛の循環速度はベルトと同期する。したがって、布帛の循環する１サイクルの時間は調整できるが、但し設定した後は一定の速度、時間となる。この発明は、この定速の特性を利用し、電算機、もしくは制御手段（ＰＬＣ）によって布帛の循環回数を染色工程における制御の単位とする。よって、染色時間の短縮を達成し、同一染色機内における色差の発生、又は異なる染色機における色差の発生をなくし、染色堅牢度を一致させ、１００％の染色再現性が得られる。よって、製品の品質と生産性を高め、生産コストを低減させ、さらにはエネルギーを節約し、二酸化炭素の放出を抑制し、環境保全を促進することができる。
【００１４】
図３は、この発明のベルト駆動方式の紐状布帛の染色機による染色工程を示した曲線グラフである。図２に開示する従来の紐状布帛の染色機による染色工程を示した曲線グラフでは、水平方向の座標が時間であるが、この発明においてはこれを循環回数に置き換え、かつ電算機、または制御手段によって染色工程を制御する。即ち、染色工程における、染料投入→加熱→保温→加熱→保温→冷却→水洗い→染料投入→加熱→保温→冷却→熱水による水洗いとなる一連の染色加工処理の工程であって、これらは循環回数を制御の単位とする。言い換えれば、布帛が１回循環する毎にどれだけの量の染料を投入するか、加熱、または冷却が何度か、保温と水洗いの時間がどれだけか、循環回数を単位として制御する。よって、実際の布帛量の長さが異なれば、染色工程全体の時間も異なってくる。例えば、容量が同一種類の布帛５００ｇの染色機において実際に染色する布帛量が２５０ｇだった場合、染色する布帛量が５００ｇの場合に比して時間を半減することができ、その染色程度、染色降下が完全に同一となり、同との染色再現性が得られる。よって、実質的に革命的な創造である。
【００１５】
以上から明らかなように、ベルト駆動方式の紐状布帛の染色機における実際の染色効果は、直接的に布帛の循環回数の多寡によって決まるものであって、時間の長さではない（即ち、循環回数が全体的関係となり、時間は相対関係に過ぎない）。よって、同一染色機内における、又は異なる染色機における布帛の速度が同一の場合、時間が同一であれば実際に染色する布帛量の長さが長いほど染色工程における循環の回数もすくなくなる。逆に染色する布帛廖の長さが短いほど循環回数も多くなる。よって、時間が同じでも染色程度が異なり、染色効果も異なり、同一染色機における色差、異なる染色機における色差、染色堅牢度、再現性が異なるなどの問題が発生する。よって、同一種類の布帛で同一の染色効果を達成しようとすれば、布帛量の長さに関わらず循環回数は同一になる、即ち、布帛量の長さが短いほど時間も相対的に短くなる。このため、染色工程全体の時間を短縮するのみならず、布帛量の長さに関わらず循環回数がいずれ同一になり染色程度も同一になり、１００％の再現性が得られ、同一染色機における色差、異なる染色機における色差、染色堅牢度不十分によって染色し直すことがなくなる。
【符号の説明】
【００１６】
１           検知手段
Ａ           染色機
Ａ１         被染色物滞留部
Ａ２         染色管
Ａ３         ガイドローラ
Ａ４         ノズル
Ｂ           布帛
Ｃ           熱交換機
Ｄ１         ポンプ
Ｄ２         ポンプ
Ｅ           タンク
Ｆ           染色液
【図１】
2017043858.tif 000003
【図２】
2017043858.tif 000004
【図３】
2017043858.tif 000005
【図４】
2017043858.tif 000006